(57)【要約】【課題】  電子棚札と表示カードの両方を、見易くて、体裁がよく、離脱や損傷を生じないように陳列棚へ保持させる電子棚札と表示カードの共用ホルダーを提供すること。【解決手段】  陳列棚１への取付部２とヒンジ４より連結した透明のホルダー部３に、電子棚札５を着脱自在に保持させる棚札の保持部６と、表示カード７を着脱自在に保持させるカードの保持部８とが設けられていること。【選択図】  図１
2008083664.tif 000002
【特許請求の範囲】
【請求項１】
陳列棚への取付部とヒンジにより連結した透明のホルダー部に、電子棚札を着脱自在に保持させる棚札の保持部と、表示カードを着脱自在に保持させるカードの保持部とが設けられている
ことを特徴とする電子棚札と表示カードの共用ホルダー。
【請求項２】
上記透明のホルダー部が、上記カードの保持部を表側に設けられ、棚札の保持部を裏側に設けられている
ことを特徴とする請求項１に記載の電子棚札と表示カードの共用ホルダー。
【請求項３】
上記透明のホルダー部が、上記カードの保持部と上記棚札の保持部とを、表側の上側と下側に並べて設けられている
ことを特徴とする請求項１に記載の電子棚札と表示カードの共用ホルダー。
【請求項４】
上記カードの保持部と上記棚札の保持部とを、表側の上側と下側に並べて設けられる透明のホルダー部が、その表側に取付部とヒンジで連結した透明のカバー材を覆設されている
ことを特徴とする請求項３に記載の電子棚札と表示カードの共用ホルダー。
【請求項５】
上記カードの保持部と上記棚札の保持部とを、表側の上側と下側に並べて設けられる透明のホルダー部が、棚札の保持部の上側と下側に柔軟弾性材で形成される電子棚札の挟持片を設けられている
ことを特徴とする請求項３に記載の電子棚札と表示カードの共用ホルダー。
【請求項６】
上記透明のホルダー部又は透明のカバー材を、陳列棚への取付部へ連結するヒンジが柔軟弾性材で形成されている
ことを特徴とする請求項１〜請求項５の何れかに記載の電子棚札と表示カードの共用ホルダー。
【請求項７】
上記透明のホルダー部と陳列棚への取付部とが、これらと同一材料の連結片で連結されている
ことを特徴とする請求項３〜請求項５の何れかに記載の電子棚札と表示カードの共用ホルダー。
【請求項８】
上記ヒンジで連結される透明のホルダー部と、陳列棚への取付部とに制止片と受体を対設して、制止片に設けた鉤部を受体に設けた複数の受部へ掛け変えることで、透明のホルダー部の傾き角を調整するようにした
ことを特徴とする請求項１〜請求項６の何れかに記載の電子棚札と表示カードの共用ホルダー。
【請求項９】
上記ヒンジで連結される透明のホルダー部と、陳列棚への取付部との間に、長さが異なる複数の調整部材を着脱手段により付け替えることで、透明のホルダー部の傾き角を調整するようにした
ことを特徴とする請求項１〜請求項７の何れかに記載の電子棚札と表示カードの共用ホルダー。
【請求項１０】
上記カードの保持部と上記棚札の保持部とを、表側の上側と下側に並べて設けられる透明のホルダー部が、上記カードの保持部の上端及び上記棚札の保持部の下端に対応してカードの端部を差し込む溝また隙間を設けられている
ことを特徴とする請求項１〜請求項８の何れかに記載の電子棚札と表示カードの共用ホルダー。
【発明の詳細な説明】
【技術分野】
【０００１】
本発明は、同一のホルダー部に電子棚札と表示カードの両方を着脱可能に保持させる電子棚札と表示カードの共用ホルダーに関する。
【背景技術】
【０００２】
従来、商品陳列棚に電子棚札を保持させる手段として、電子棚札を着脱可能に収容するカバーケースに、該カバーケースを商品陳列棚へ着脱する取付手段と、電子棚札を水滴から保護する防滴手段とを備えさせたものは知られている（例えば、特許文献１参照）。また
、商品陳列棚へ表示カードを保持させる手段として、表示カードを収納または保持するホルダー本体を、棚板に保持される保持手段へ、柔軟性を有するヒンジ部で連結することにより、ホルダー本体を開閉自在としたものも知られている（例えば、特許文献２参照）。
【特許文献１】特開２００１−３１２２２１号公報
【特許文献２】特開平９−２６５２５６号公報
【０００３】
しかしながら、上記保持手段は、商品陳列棚へ電子棚札又は表示カードを単独で保持させるには好適なものであるが、電子棚札と表示カードの両方を見易くて、体裁がよく、かつ、他物との接触で離脱や損傷を生じないように保持させることは不可能であった。
【発明の開示】
【発明が解決しようとする課題】
【０００４】
本発明は前記問題点を解消し、電子棚札と表示カードの両方を、見易くて、体裁がよく、他物との接触で離脱や損傷を生じないように陳列棚に保持させる電子棚札と表示カードの共用ホルダーを提供することをその課題とする。
【課題を解決するための手段】
【０００５】
前記課題を解決するため本発明に係る電子棚札と表示カードの共用ホルダーは、下記の構成を採用することを特徴とする。
請求項１に係る発明は、陳列棚への取付部とヒンジにより連結した透明のホルダー部に、電子棚札を着脱自在に保持させる棚札の保持部と、表示カードを着脱自在に保持させるカードの保持部とが設けられていること。
【０００６】
請求項２に係る発明は、上記透明のホルダー部が、上記カードの保持部を表側に設けられ、棚札の保持部を裏側に設けられていること。
【０００７】
請求項３に係る発明は、上記透明のホルダー部が、上記カードの保持部と上記棚札の保持部とを、表側の上側と下側に並べて設けられていること。
【０００８】
請求項４に係る発明は、上記カードの保持部と上記棚札の保持部とを、表側の上側と下側に並べて設けられる透明のホルダー部が、その表側に取付部とヒンジで連結した透明のカバー材を覆設されていること。
【０００９】
請求項５に係る発明は、上記カードの保持部と上記棚札の保持部とを、表側の上側と下側に並べて設けられる透明のホルダー部が、棚札の保持部の上側と下側に柔軟弾性材で形成される電子棚札の挟持片を設けられていること。
【００１０】
請求項６に係る発明は、上記透明のホルダー部又は透明のカバー材を、陳列棚への取付部へ連結するヒンジが柔軟弾性材で形成されていること。
【００１１】
請求項７に係る発明は、上記透明のホルダー部と陳列棚への取付部とが、これらと同一材料の連結片で連結されていること。
【００１２】
請求項８に係る発明は、上記ヒンジで連結される透明のホルダー部と、陳列棚への取付部とに制止片と受体を対設して、制止片に設けた鉤部を受体に設けた複数の受部へ掛け変えることで、透明のホルダー部の傾き角を調整するようにしたこと。
【００１３】
請求項９に係る発明は、上記ヒンジで連結される透明のホルダー部と、陳列棚への取付部との間に、長さが異なる複数の調整部材を着脱手段によって付け替えることで、透明のホルダー部の傾き角を調整するようにしたこと。
【００１４】
請求項１０に係る発明は、上記カードの保持部と上記棚札の保持部とを、表側の上側と下側に並べて設けられる透明のホルダー部が、上記カードの保持部の上端及び上記棚札の保持部の下端に、対応してカードの端部を差し込む溝又は隙間を設けられていること。
【発明の効果】
【００１５】
請求項１に係る発明の効果  透明のホルダー部に電子棚札と表示カードの両方を並べて保持させると、商品の価格並びに産地、賞味期限、用法、特売、その他の売手側ＰＲ情報等が同一表面へ見易くて、体裁よく表示されて、しかも、電子棚札と表示カードは透明のホルダー部にガードされるため、運搬車、その他の接触による離脱や損傷を起さないし、また、透明のホルダー部を上方へ展開すれば、電子棚札を外さずにその裏面をスキャンすることができるとともに、保持する部分よりの電子棚札の取り外しや取り付けも容易にできる。
【００１６】
請求項２に係る発明の効果  透明のホルダー部の表側に表示カードを保持するカードの保持部を設け、裏側に電子棚札を保持する棚札の保持部を設ければ、電子棚札と表示カードを横へ並ぶように保持させることで、電子棚札の商品価格と表示カードの各種情報とが同一平面の左右に並んで見易くて、体裁がよく表示されるとともに、電子棚札がホルダー部によって他物と接触しないようにガードされる。更に、ホルダー部を上方へ展開すれば、電子棚札を外さずにその裏面をスキャンできるし、また、保持する部分からの電子棚札の着脱も容易に行える。
【００１７】
請求項３に係る発明の効果  透明のホルダー部の表側の上側と下側に棚札の保持部とカードの保持部とを設けて、これらの保持部に電子棚札と表示カードを保持させれば、電子棚札と表示カードを縦に並ぶように保持させることで、電子棚札の商品価格と表示カードの各種情報が同一平面の上下に並んで見易くて、体裁がよく表示されるとともに、電子棚札がホルダー部で他物と接触しないようにガードされる。
【００１８】
請求項４に係る発明の効果  カードの保持部と棚札の保持部を表側の上下に並べて設けられる透明のホルダー部に、陳列棚への取付部とヒンジで連結した透明のカバー材を覆設すれば、透明のホルダー部と透明のカバー材とで電子棚札が二重にカードされるため、他物との接触を完全に防止することができる。また、透明のカバー材は、これを上方へ展開すれば、棚札の保持部とカードの保持部とが表れて、電子棚札及び表示カードの着脱を容易にするだけでなく、透明のカバー材と透明のホルダー部とを一緒に上方へ展開すれば、電子棚札を外さずにその裏面をスキャンをすることができる。
【００１９】
請求項５に係る発明の効果  透明のホルダー部の表側に設けられる棚札の保持部の上側及び下側に、柔軟弾性材で形成した電子棚札の挟持片を設ければ、棚札の保持部内へ電子棚札を挿入するとき、挟持片が内方へ変形して電子棚札を保持部内に受け入れた後、復元して電子棚札を挟み付けるので、電子棚札の容易な取り付けと離脱を生じない確実な取り付けとが行われる。また、保持部内の電子棚札を摘んで引き出せば、挟持片が外方へ変形して電子棚札を保持部の外へ滑り出させて保持部よりの取り外しも容易にできる。
【００２０】
請求項６に係る発明の効果  透明のホルダー部及び透明のカバー材と陳列棚への取付部とを連結するヒンジを柔軟弾性材によって形成すれば、透明のホルダー部、透明のカバー材、陳列棚への取付部、ヒンジの四部材を同時に一体成型することができて、長さ切断以外の二次加工を必要としないため安価に製作することができる。また、柔軟弾性材で形成されるヒンジは埃や水を遮断して、例え、水がかかることがあっても電子棚札には達しさせないため、防滴仕様でない電子棚札を使用することができる。
【００２１】
請求項７に係る発明の効果  透明のホルダー部と陳列棚の取付部とを、これらと同一材料の連結片で連結すれば、柔軟弾性材のヒンジで連結する場合よりも成形が容易であり、製品コストの低減が図れる。
【００２２】
請求項８に係る発明の効果  透明のホルダー部に設けた制止片の鉤部を、陳列棚への取付部に設けた複数の受部へ掛け変えれば、これに応じて透明のホルダー部は下側が前後の方向へ移動して傾き角を変化させるため、陳列棚の高さに応じてこの傾き角の調整を適当に行えば、どの陳列棚でも電子棚札や表示カードの表示を見易くすることができる。
【００２３】
請求項９に係る発明の効果  透明のホルダー部と、陳列棚への取付部との間に、長さが異なる複数の調整部材を着脱手段で付け替えれば、これに応じて透明のホルダー部は下側が前後の方向へ移動して傾き角を変化させるため、陳列棚の高さに応じてこの傾き角の調整を適当に行えば、どの陳列棚でも電子棚札や表示カードの表示を見易くすることができる。
【００２４】
請求項１０に係る発明の効果  透明のホルダー部が表側の上下に設けられるカードの保持部の上端と棚札の保持部の下端とに表示カードの端部を差し込む溝また隙間を設ければ、透明のホルダー部とほぼ等しい大型の表示カードの窓穴付きを電子棚札に窓穴を合わせて取り付けたリ、電子棚札の間に穴無しのものを取り付けたりすることで、表示スペースを大きく取ることができる。
【発明を実施するための最良の形態】
【００２５】
以下に本発明に係る電子棚札と表示カードの共用ホルダーの実施形態を図面に基づいて説明する。
【００２６】
図１〜図４に示す電子棚札と表示カードの共用ホルダーＡの実施形態は、陳列棚１への取付部２と、透明のホルダー部３とがヒンジ４により連結されて、透明のホルダー部３には電子棚札５を保持する棚札の保持部６と、表示カード７を保持するカードの保持部８とを設けられるように透明の合成樹脂によって形成される。そして、棚札の保持部６には電子棚札５を、カードの保持部８には表示カード７を保持させると、電子棚札５と表示カード７の両方が着脱可能に透明のホルダー部３に保持されて、電子棚札５による価格表示と、表示カード７による商品の産地、賞味期限、用法、特売、その他の売り手側のＰＲ情報等表示とを同一面へ並べて見易く、体裁もよいように表示させることができて、しかも、電子棚札５はホルダー部３にガードされるため、運搬車、その他が接触して離脱や損傷を生じさせることもない。
【００２７】
上記共用ホルダーＡにおける陳列棚１への取付部２は、適当な高さの立上部２ａの下部に、陳列棚１の前側に形成された挟持溝９へ挿入する挿入部２ｂを有し、この挿入部２ｂの上部の裏側に陳列棚１の上面へ当る当片２ｃを有するように透明又は不透明の合成樹脂で形成される。
【００２８】
上記透明のホルダー部３は、表示カード７の背面を支持する垂下片３ａと、その下端から上方へ折り返して、上記垂下片３ａとの間にカードの保持部８を構成する折返片３ｂと、垂下片３ａの下部裏側にＬ形材１０を連設して、このＬ形材１０の横片１０ａと縦片１０ｂ及び上記垂下片３ａとで溝型をなす棚札の保持部６を構成させ、垂下片３ａの上部に取付部２へ向かう斜片３ｄが連設されるように透明の合成樹脂によって形成される。
【００２９】
尚、溝形をなす棚札の保持部６は、Ｌ形材１０における縦片１０ｂを基部は電子棚札５から離隔して、先端側は電子棚札５と線接触する形状に形成することで、バネ作用を果して、電子棚札５が着脱し易くて位置ずれを起さない状態に保持されるようにしてある。
【００３０】
上記ヒンジ４は、柔軟で弾性を有する合成樹脂で両端に取付部２とホルダー部３への接合部４ａと４ｂを有するように形成して、これら接合部４ａ、４ｂで成形の際に陳列棚1への取付部２及び透明のホルダー部３と接合一体化されるようにしてある。
【００３１】
また、透明のホルダー部３は、取付部２によって取り付ける陳列棚１に、上段と下段では大きな高低差があるので、高さに応じて傾き角を変えないと低い位置のものは、保持させた電子棚札５や表示カード７の表示が見にくくなる。このため、透明のホルダー部３と陳列棚１への取付部２に対応して制止片１１と受体１２を付設し、制止片１１の先端には鉤部１３を設け、受体１２には複数の受部１４、１５を設けて、これら受部１４、１５に鉤部１３を掛け外しすることで、透明のホルダー部３の下側を前後方向へ移動させて、透明のホルダー部３の傾き角を変化させ、電子棚札５や表示カード７が下段の陳列棚でも見易くなるようにする。尚、上記制止片１１と受体とは、上記とは反対に制止片１１を陳列棚への取付部２へ付設し、受体１２を透明のホルダー部３に付設するように変更しても、傾きの調整機能は上記と同様に果たされる。
【００３２】
更に、この電子棚札と表示カードの共用ホルダーＡは、上記の通り陳列棚1への取付部２と、透明のホルダー部３と、ヒンジ４とが押出成形に適した形状を有して、材料には合成樹脂を用いるため、三者を押出成形機による同時押出しで一体に形成することで、長さ切断以外の２次加工を不必要となって製品コストの低減が図れる。
【００３３】
この実施形態に示す電子棚札と表示ホルダーの共用ホルダーＡは、透明のホルダー部３を図２に示す通り上方へ展開すると、棚札の保持部６が同図に示す通り上側へ露出するので、保持部６へ鎖線で示すように電子棚札５を斜めに差し入れてから、実線で示す通り引き下げて、下部を溝形の保持部６に挟持させれば、電子棚札５が動かないように保持される。そこで、ホルダー部３を下方に展開して閉じると、棚札の保持部６はホルダー部３の後側に隠れて、カードの保持部８が表側に表れるので、保持部８に電子棚札５の横へ並ぶように表示カード７を差し入れれば、ホルダー部３に電子棚札５と表示カード７の両方が横並びに保持されて、電子棚札５で製品の価格を、表示カード７で商品の品質、産地、賞味期限、用法、特売、その他の売り手側のＰＲ情報等を同一の面上へ見易くて、体裁もよく表示し、しかも、透明のホルダー部３は運搬車、その他が電子棚札５へ接触しないようにガードして、電子棚札５が離脱や損傷を生じないようにする。更に、この共用ホルダーＡは、柔軟弾性材のヒンジ４で陳列棚への取付部２と透明のホルダー部３とを連結した防水構造とすれば、例え、水がかかることがあっても、電子棚札５へは水が達しないため、防滴仕様でない電子棚札５を使用することができる。
【００３４】
また、透明のホルダー部３を図２に示す通り上方へ展開すると、透明のホルダー部３が裏返しになって、電子棚札５を保持する部分６が露出するので、電子棚札５を外さずにその裏面をスキャンすることができて、しかも、保持する部分６からの電子棚札５の取り出し及び取り付けも容易にできる。
【００３５】
更に、透明のホルダー部３に付設した制止片１１が先端に有する鉤部１３を、図４（ａ）に示す通り、陳列棚への取付部２に付設される受体１２に設けた後側の受部１４より後側に位置させれば、ホルダー部３は図４（ａ）の通り垂直に近い状態に保持されている。しかし、鉤部１３を、図４（ｂ）に示す通り受部１４の前側に位置させれば、透明のホルダー部３の下部が前側へ移動するため、透明のホルダー部３の傾きは図４（ｂ）の通りに増し、鉤部１３を図４（ｃ）に示す通り前側の受部１５の前側に掛け変えれば、透明のホルダー部３の下部が更に前側へ移動するため、ホルダー部３の傾きは図４（ｃ）の通りに一層増して、三様の傾き角の調整が可能となる。
【００３６】
図５〜図７は、電子棚札と表示カードの共用ホルダーＡの他の実施形態を示すものであって、この実施形態は、陳列棚への取付部２の構造は前記実施形態と同一であるが、透明のホルダー部３の構造が、カードの保持部８と、棚札の保持部６の両方を表側の上下に設けられて、更に、透明のホルダー部３の表側には透明のカバー材を覆設される点において相違するので、同一構造の部分については同一符号を付して説明を省略し、異なる構造についてのみ以後に説明する。
【００３７】
この実施形態のホルダー部３は、表示カード７の背面を支持する垂下片３ａが短いものであって、その下端から上方へ折り返して垂下片３ａとで表示カード７を挟む折返片３ｂも短く形成されている。そして、垂下片３ａの裏側の中間部よりも下側にコ字形をなす枠体１６を付設し、この枠体１６の下片１６ａから垂下片３ａの下部に向かって立上片１６ｂを立ち上がらせ、開口１７が前側へ向く電子棚札５を保持する部分６を形成してある。
【００３８】
尚、コ字形をなす枠体１６で形成される棚札の保持部６は、枠体１６の立上片１６ｂを基部が電子棚札５から離隔して、先端側は電子棚札５と線接触する形状に形成することによって、この部分がバネ作用を果たして電子棚札５を着脱し易くて安定した状態の保持できるようにしてある。
【００３９】
上記の通り、棚札の保持部６を開口１７が前側へ向くように設けると、この開口１７から電子棚札５が露出して、共用ホルダーＡへ水がかかるようなことがあると、電子棚札５が濡れて故障や損傷を生じることがある。このため、ホルダー部３の前側にその表示カード７を保持する部分８から電子棚札５を保持する部分６までを覆う透明のカバー材１８を、ヒンジ４で陳列棚への取付部２と連結して配置し、このカバー材１８で防水が行われるようにする。
【００４０】
また、この実施形態では、ホルダー部３に設けたコ字形の枠体１６の上片を、制止片１１に兼用して先端に鉤部１３を設け、陳列棚への取付部２に前記実施例と同様受体１２を設けて、この受体１２に複数の受部１４、１５を形成して、制止片１１の鉤部１３を受体１２の受部１４、１５へ掛け替えることで、前記実施形態と同様にホルダー部３の傾き角を調整することができるようにしてある。
【００４１】
この実施形態に示す電子棚札と表示ホルダーの共用ホルダーＡは、カバー材１８を図６に示す通り上方へ展開させると、これに覆われていた棚札の保持部６と表示カードの保持部８が表れるので、棚札の保持部６へ垂下片３ａの下側を同図の通り変形させて、電子棚札５を斜めに差し入れ、電子棚札５の下端が立上片１６の上端から外れた後に、電子棚札５を鎖線で示す通り引き下げて棚札の保持部６へ格納保持させる。そして、カードの保持部８へ表示カード７を保持させて、透明のカバー材１８を透明のホルダー部３に被せ付ければ、電子棚札５と表示カード７の両方が上下に並んで、電子棚札５で製品の価格を、表示カード７で商品の品質、産地、賞味期限、用法、特売、その他の売手側ＰＲ情報等を、同一面上に見易くて、体裁もよく表示するとともに、透明のカバー材１８が電子棚札５への運搬車、その他の接触をガードして、電子棚札５が離脱や損傷を生じないようにする。更に、この共用ホルダーＡは柔軟弾性材のヒンジ４で透明のカバー材１８と陳列棚への取付部２を連結すれば、例え、水がかかることがあっても電子棚札５へは水が達しないため、防滴仕様でない電子棚札５を使用することができる。
【００４２】
また、透明のカバー材１８を図６に示す通り上方へ展開すると、透明のホルダー部３に設けた棚札の保持部６と、カードの保持部８の両方が同図に示す通り表れるので、電子棚札５及び表示カード７の取り付けと取り外しが容易に行えるし、透明のカバー材１８と透明のホルダー部３とを図７に示す通り一緒に上方へ展開して、透明のホルダー部３を裏返しにすると電子棚札５の裏面が表側に表れて、電子棚札５を外さなくても裏面のスキャンができるようになる。
【００４３】
更に、透明のホルダー部３は、制止片１１に設けた鉤部１３を陳列棚への取付部２に付設した受体１２の複数の受部１４，１５へ掛け替えると、透明のホルダー部３の下部が前後方向へ移動して、透明のホルダー部３の傾き角を変化させ、透明のホルダー部３に保持される電子棚札５や表示カード７の表示を上下方向の位置差に関係なく見易くするができる。
【００４４】
図８〜図１１、図１３は、電子棚札と表示カードの共用ホルダーＡの更に他の実施形態を示すものであって、この実施形態は、陳列棚への取付部２の構造は上記実施形態と同一であるが、透明のホルダー部３の構造が、カードの保持部８と、棚札の保持部６の両方を表側の上下に並べて設けられて、棚札の保持部６の上側と下側には電子棚札５を挟持する柔軟弾性材の挟持片を設けられる点において相違するので、同一構造の部分については同一符号を付して説明を省略し、異なる構造についてのみ以後に説明する。
【００４５】
この実施形態の透明のホルダー部３は、表示カード７の背面を支持する垂下片３ａが短いものであって、この垂下片３ａの下端から上方へ折り返して上記垂下片３ａとで表示カード７を挟む折返片３ｂが、垂下片３ａとほぼ同じ長さであって、上端の表側には折り返しによって表示カード７の端部を差し込む溝１９を形成することでカードの保持部８を形成させ、垂下片３ａの裏側の下部にはコ字形をなす枠体１６を付設して、この枠体１６の下片１６ａの前端上側には短い立上片１６ｂを立ち上がらせ、上記垂下片３ａの下端には立上片１６ｂに対応させて柔軟弾性材により形成される止縁２０を付設して、開口１７が前方へ向く棚札の保持部６を形成させてある。
【００４６】
上記の通り開口１７が前方へ向く棚札の保持部６は、開口１７より電子棚札５を挿入して確実に保持させる操作を簡単に行うため、柔軟弾性材で形成した上側の挟持片２１と下側の挟持片２２とで電子棚札５を挟持させる構造を採用したものであり、上側の挟持片２１は、コ字形をなす枠体１６の上片１６ｃから下側へ突出させた凸条２３と一体成形し、下側の挟持片２２は、コ字形をなす枠体１６の下片１６の上側に設けた凸部２４と一体成形されている。
【００４７】
更に、この実施形態は、透明のホルダー部３の傾き角の調整を部材の交換によって行う点も前記実施形態と相違するものであって、この調整に用いる調整部材２５は、図８の円内に示す通り異なる長さに形成した必要数の調整部材２５の一端に掛鉤２６を設け、この掛鉤２６を取付部２に設けた受鉤２７に係合させて取付部２へ取り付ける構成としてあり、調整部材２５を付け替えると、その長さに応じて透明のホルダー部３の下部が前後へ移動して、透明のホルダー部３の傾き角を変化させるようにしてある。
【００４８】
この実施形態に示す電子棚札と表示ホルダーの共用ホルダーＡは、透明のホルダー部３に設けられる棚札の保持部６が開口１７を前方に開放しているため、この開口１７から電子棚札５を図９（ａ）に示す通り傾けて上部から保持部６内へ差し入れる。そして、電子棚札５の下部を矢印の方向へ押すと、上下の挟持片２１と２２が図９（ｂ）に示す通り変形して、電子棚札５を保持部６の中へ受け入れ、電子棚札５が図９（ｃ）に示す通り、保持部６の中へ収まったとき電子棚札５を止めれば、上下の挟持片２１と２２は電子棚札５を挟み付けて保持部６内に確実に保持する。しかし、棚札の保持部６から電子棚札５を取り外すときは、電子棚札５の下端と枠体１６の立上片１６ｂとの間へ図１０（ａ）に示す通り、着脱用のへら２８の先端を差し入れて、へら２８の上端を図１０（ｂ）に示す通り押し下げれば、電子棚札５は上側の挟持片２１を変形させて上昇し、その下端が立上片１６ｂを乗り越えて開口１７より外側へ出るので、このとき電子棚札５を摘んで図１０（ｃ）に示す通り引き出せば、保持部６から電子棚札５を容易に取り外すことができる。しかし、へら２８を使わず電子棚札５を摘んで押し上げ、下端が立上片１６ｂより外れたとき手前に引き出すようにしても取り外しができるものである。
【００４９】
また、透明のホルダー部３における棚札の保持部６の下端が図１１（ａ）に示す通り取付部２の下端へ接するとき、透明のホルダー部３の傾き角が１０度となるように形成されていると、これよりも傾き角を増したいときは、短い調整部材２５を図１１（ｂ）に示す通り掛鉤２６を取付部２に設けた受鉤２７へ係合させて、取付部２と透明のホルダー部３との間に挟み込む。すると、透明のホルダー部３の下部が前側へ押し出されて傾き角を図１１（ｂ）に示す通りに増し、更に長い調整部材２５を図１１（ｃ）に示す通り掛鉤２６を取付部２に設けた受鉤２７へ係合させて、取付部２と透明のホルダー部３との間に挟み込めば、透明のホルダー部３の傾き角は図１１（ｃ）に示す角度に増すものである。
【００５０】
更に、透明のホルダー部３の傾き角を、例えば、０度（垂直）或いは負角になるように調整したい場合は、透明のホルダー部３と陳列棚への取付部２との連結にヒンジ４を用いず、ホルダー部３及び取付部２と同一の材料で形成した連結片２ｄを用いるようにして、この連結片２ｄの長さを図１1（ｂ）（ｃ）に示す通り長く形成すれば、透明のホルダー部３の傾き角を０度或いは負角とした共用ホルダーＡが得られるので、透明ホルダー部３の傾き角が異なる幾つかを図１２（ａ）（ｂ）（ｃ）（ｄ）（ｅ）に示すように高さが異なる陳列棚１へ取り付ければ、総ての透明のホルダー部３に保持される表示カード７及び電子棚札５の表示を見易くすることができる。
【００５１】
なお、この実施形態の共用ホルダーＡによる表示カード７の保持は、垂下片３ａとその下端から上方へ折り返した折返片３ｂとで形成される隙間へ図１４（ａ）に示す形状の表示カード７を挟み込んで行うか、図１４（ｂ）に示す通り隙間へ挟み込む表示カード７の一側端に前方へ折り曲がる表示片７ａを付設した表示カード７を図１３（ｂ）で示す通りに隙間へ挟みこんで行うか、或いは、上記折返片３ｂの上端を折り返して形成した差込溝１９と、棚札保持部６の開口１７の下側に位置する立上片１６ｂと保持部６に収まらせた電子棚札５の下部との隙間２９へ、図１４（ｃ）に示す通り電子棚札５に対応する窓穴３０を設けた表示カード７の上下の端部を図１３（ｃ）に示す通り差し込むことで行うか、図１３（ｄ）に示す通り、棚札の取付部６の電子棚札５が取り付けられていない部分では、図１４（ｄ）に示す通りの表示カード７を、図１３（ｄ）に示す通り上側の端部を差込溝１９に差し込み、下側の端部を棚札の保持部６の下側に設けた立上片１６ｂの内側に係合させることで行うようにする。
【産業上の利用可能性】
【００５２】
本発明に係る電子棚札と表示カードの共用ホルダーは、商品の価格を表示する電子棚札と、商品の品質、産地、賞味期限、用法、特売、その他の売手側ＰＲ情報等を表示する表示カードの両方を見易くて、体裁がよく、離脱や損傷を生じないように保持させるのに利用できる。
【図面の簡単な説明】
【００５３】
【図１】電子棚札と表示カードの共用ホルダーの実施形態を示す側面図。
【図２】同上実施形態の透明のホルダー部を上方へ展開させて裏返しにした状態を示す側面図。
【図３】同上実施形態の透明のホルダー部が電子棚札と表示ホルダーの両方を保持して、表示を同一面へ見易くて、体裁がよく、離脱や損傷を生じないように行った状態を示す斜視図。
【図４】（ａ）（ｂ）（ｃ）は、同上実施形態の透明のホルダー部の傾きを３様に調整した状態を示す側面図。
【図５】電子棚札と表示カードの共用ホルダーの他の実施形態を示す側面図。
【図６】同上実施形態の透明のカバー材を展開して、ホルダー部に設けた棚札の保持部へ電子棚札を保持させた状態の側面図。
【図７】同上実施形態の透明のカバー材と透明のホルダー部とを裏返して電子棚札の裏面がスキャンできる状態にした側面図。
【図８】電子棚札と表示カードの共用ホルダーの更に他の実施形態を示す側面図。
【図９】（ａ）（ｂ）（ｃ）は、同上実施形態の棚札の保持部へ電子棚札を取り付ける状態の説明図。
【図１０】（ａ）（ｂ）（ｃ）は、同上実施形態の棚札の保持部から電子棚札を取り外す状態の説明図。
【図１１】（ａ）（ｂ）（ｃ）は、同上実施形態の透明のホルダー部の傾き角の調整状態を示す説明図。
【図１２】透明ホルダー部の傾き角を取り付ける陳列棚の高さに応じて変化させた状態を示す説明図。
【図１３】（ａ）（ｂ）（ｃ）（ｄ）は、同上実施形態の透明のホルダー部による表示カードの保持状態の説明図。
【図１４】（ａ）（ｂ）（ｃ）（ｄ）は、透明のホルダー部に保持させる表示カードの各例を示す斜視図。
【符号の説明】
【００５４】
Ａ  電子棚札と表示カードの共用ホルダー
１  陳列棚
２  陳列棚への取付部
３  透明のホルダー部
４  ヒンジ
５  電子棚札
６  棚札の保持部
７  表示カード
８  カードの保持部
【図１】
2008083664.tif 000003
【図２】
2008083664.tif 000004
【図３】
2008083664.tif 000005
【図４】
2008083664.tif 000006
【図５】
2008083664.tif 000007
【図６】
2008083664.tif 000008
【図７】
2008083664.tif 000009
【図８】
2008083664.tif 000010
【図９】
2008083664.tif 000011
【図１０】
2008083664.tif 000012
【図１１】
2008083664.tif 000013
【図１２】
2008083664.tif 000014
【図１３】
2008083664.tif 000015
【図１４】
2008083664.tif 000016